(57)【要約】【課題】  ＰＣＭ符号を利用し、ネットワークに負荷のかからない新規なデータ伝送システムおよび通信モード切替方法を提供する。【解決手段】  送信端末は、送信データの前に所定長の前方アイドル符号列を、送信データの後に所定長の後方アイドル符号列をそれぞれ配置することでＰＣＭ符号とみなされるデータＰＣＭ符号ストリームを生成し、音声ＰＣＭ符号ストリームおよびデータＰＣＭ符号ストリームを切り替えて受信端末へ送信する。受信端末は、受信したＰＣＭ符号ストリームから前方アイドル符号列を検出してから後方アイドル符号列を検出するまでのＰＣＭ符号ストリームの符号を受信データとして受信する。【選択図】      図２
2005252639.tif 000002
【特許請求の範囲】
【請求項１】
ＰＣＭ（Pulse Code Modulation）符号ストリームを利用して送信端末から受信端末へネットワークを通して音声を伝送するシステムにおけるデータ伝送方法において、
前記送信端末は、
送信すべきデータを入力し、
前記データの前に所定長の前方アイドル符号列を、前記データの後に所定長の後方アイドル符号列をそれぞれ配置することでＰＣＭ符号とみなされるデータＰＣＭ符号ストリームを生成し、
音声ＰＣＭ符号ストリームおよび前記データＰＣＭ符号ストリームを切り替えることでＰＣＭ符号ストリームを生成して前記受信端末へ送信し、
前記受信端末は、
前記送信端末からＰＣＭ符号ストリームを受信し、
前記受信したＰＣＭ符号ストリームから前記前方アイドル符号列を検出してから前記後方アイドル符号列を検出するまでのＰＣＭ符号ストリームの符号を受信データとして受信する、
ことを特徴とするデータ伝送方法。
【請求項２】
ＰＣＭ（Pulse Code Modulation）符号ストリームを利用して送信端末から受信端末へネットワークを通して音声を伝送するシステムにおいて、
前記送信端末は、
音声信号を符号化して音声ＰＣＭ符号ストリームを生成するＰＣＭ符号化手段と、
送信すべきデータの前に所定長の前方アイドル符号列を、前記データの後に所定長の後方アイドル符号列をそれぞれ配置することでＰＣＭ符号とみなされるデータＰＣＭ符号ストリームを生成するデータ変換手段と、
前記音声ＰＣＭ符号ストリームおよび前記データＰＣＭ符号ストリームを切り替えることでＰＣＭ符号ストリームを生成する送信側データパス切替手段と、
前記ＰＣＭ符号ストリームを前記受信端末へ送信する送信手段と、
を有し、
前記受信端末は、
前記送信端末からＰＣＭ符号ストリームを受信する受信手段と、
前記受信ＰＣＭ符号ストリームから所定長の前方アイドル符号列および後方後方アイドル符号列を検出する検出手段と、
前記受信ＰＣＭ符号ストリームをＰＣＭ復号するＰＣＭ復号化手段と、
前記受信ＰＣＭ符号ストリームを並列データに変換する変換手段と、
前記前方アイドル符号列を検出すると、それに続く受信ＰＣＭ符号ストリームを前記変換手段へ転送し、前記後方アイドル符号列を検出すると、それに続く受信ＰＣＭ符号ストリームを前記ＰＣＭ復号化手段へ転送する受信側データパス切替手段と、
を有する、
ことを特徴とするデータ伝送システム。
【請求項３】
音声ＰＣＭ（Pulse Code Modulation）符号ストリームおよびデータＰＣＭ符号ストリームからなるＰＣＭ符号ストリームを受信する受信端末において、
ＰＣＭ符号ストリームを受信する受信手段と、
前記受信ＰＣＭ符号ストリームから所定長の前方アイドル符号列および後方後方アイドル符号列を検出する検出手段と、
前記受信ＰＣＭ符号ストリームをＰＣＭ復号するＰＣＭ復号化手段と、
前記受信ＰＣＭ符号ストリームを並列データに変換する変換手段と、
前記前方アイドル符号列を検出すると、それに続く受信ＰＣＭ符号ストリームを前記変換手段へ転送し、前記後方アイドル符号列を検出すると、それに続く受信ＰＣＭ符号ストリームを前記ＰＣＭ復号化手段へ転送するスイッチ手段と、
を有することを特徴とする受信端末。
【請求項４】
ＰＣＭ（Pulse Code Modulation）符号ストリームを利用して音声およびデータをネットワークを通して送受信する送受信端末において、
音声信号を符号化して音声ＰＣＭ符号ストリームを生成するＰＣＭ符号化手段と、
送信すべきデータの前に所定長の前方アイドル符号列を、前記データの後に所定長の後方アイドル符号列をそれぞれ配置することでＰＣＭ符号とみなされるデータＰＣＭ符号ストリームを生成するデータ変換手段と、
前記音声ＰＣＭ符号ストリームおよび前記データＰＣＭ符号ストリームを切り替えることでＰＣＭ符号ストリームを生成する送信側データパス切替手段と、
前記ＰＣＭ符号ストリームを宛先端末へ前記ネットワークを通して送信する送信手段と、
前記ネットワークから自端末宛のＰＣＭ符号ストリームを受信する受信手段と、
前記受信ＰＣＭ符号ストリームから所定長の前方アイドル符号列および後方後方アイドル符号列を検出する検出手段と、
前記受信ＰＣＭ符号ストリームをＰＣＭ復号するＰＣＭ復号化手段と、
前記受信ＰＣＭ符号ストリームを並列データに変換する変換手段と、
前記前方アイドル符号列を検出すると、それに続く受信ＰＣＭ符号ストリームを前記変換手段へ転送し、前記後方アイドル符号列を検出すると、それに続く受信ＰＣＭ符号ストリームを前記ＰＣＭ復号化手段へ転送する受信側データパス切替手段と、
を有することを特徴とする送受信端末。
【請求項５】
ＰＣＭ（Pulse Code Modulation）符号ストリームを利用して送信端末から受信端末へネットワークを通して音声を伝送するシステムにおける音声／データ通信切替方法において、
前記送信端末は、音声とデータとの切替タイミングで、音声ＰＣＭ符号列と送信データとの間に所定長のアイドル符号列を配置することでＰＣＭ符号ストリームを生成し、
前記受信端末は、前記送信端末から受信したＰＣＭ符号ストリームから前記アイドル符号列を検出することで音声通信とデータ通信とを切り替える、
ことを特徴とする音声／データ通信切替方法。
【発明の詳細な説明】
【技術分野】
【０００１】
本発明はＰＣＭ（Pulse Code Modulation）符号ベースの通信システムに係り、特にＰＣＭ符号を用いてデータを送受信可能なシステムおよび方法に関する。
【背景技術】
【０００２】
近年、ＩＰネットワークの進展によりＶｏＩＰ(Voice over IP)技術はネットワーク通信の重要な要素となりつつある。これに伴って、ＶｏＩＰ通信事業者の間では、音声符号化方式としてＰＣＭ符号ベースの勧告Ｇ．７１１を採用し、ＵＤＰ(User Datagram Protocol)パケットの帯域を確保することで通信品質を保証しようとする傾向が強まっている。一方、携帯電話あるいはデジタルカメラ付き携帯電話の普及に伴い、インスタント・メッセージや静止画像などの伝送サービスの利用数が激増している。
【０００３】
このために、ネットワークに負担のかからない簡易なデータ伝送技術が必要とされている。ＩＳＤＮ(Integrated Services Digital Network)のＢチャネルでは通話サービスとデータ通信サービスとを共用することができるが、サービス形態を呼毎に設定しネットワーク側の制御が必要となるために、ネットワークの負担が増大するという難点がある。
【０００４】
ネットワーク側の制御なしに端末間で通信モード（音声通話モードとデータ通信モード）の切替を行う方式として、例えば特開昭６３−６９３６４号公報（特許文献１）に開示された通信モード切替方式がある。この従来技術では、音声通話モード時にデータ通信モードへ切り替える場合には多周波信号またはプッシュボタン信号などの音声帯域を通過可能な信号を送信して切替を行い、データ通信モード時に音声通話モードに切り替える場合には特定の信号コードを送信して切替制御を行っている。
【０００５】
また、特開平７−５８８０４号公報（特許文献２）には、データ信号の前後に“１”が６個以上連続する先頭フラグＦSと終了フラグＦEとを付加することで、受信側で音声とデータとの振り分けを可能にした音声・データ複合通信方式が開示されている。
【０００６】
【特許文献１】特開昭６３−６９３６４号公報（第２ページ左下欄８行から右下欄１２行、第２図）
【特許文献２】特開平７−５８８０４号公報（明細書段落０００９、図１、図２）
【発明の開示】
【発明が解決しようとする課題】
【０００７】
しかしながら、上記従来技術はいずれもＰＣＭ符号ベースの音声通信については全く考慮されていない。
【０００８】
また、特許文献１に記載された通信モード切替方式では、通信情報とは別の特別な制御信号（プッシュボタン信号や特定コードなど）がネットワークを通して相手側へ送信されており、ネットワークトラフィックを増大させている。
【０００９】
特許文献２に記載された音声・データ複合通信方式では、音声信号やデータ信号の中に存在しないような“１”が６個以上連続する先頭フラグＦSおよび終了フラグＦEを付加する必要がある。すなわち、音声信号やデータ信号の中に存在しないような任意の連続したビット列をフラグとして使用しているために、受信側でこれら特殊な先頭および終了フラグを検出する手段が不可欠となり構成が複雑化するという問題がある。
【００１０】
本発明の目的は、ＰＣＭ符号を利用し、ネットワークに負荷のかからない新規なデータ伝送システムおよび方法を提供することにある。
【００１１】
さらに、本発明の他の目的は、ＰＣＭ符号を利用し、ネットワーク側の制御を必要とせず、かつ、簡易な構成でモード切替が可能な通信モード切替方法を提供することにある。
【課題を解決するための手段】
【００１２】
本発明者は、通常のＰＣＭ音声通話では、ＰＣＭ符号データのレベルはアナログ信号入力０ｄＢｍ以下であるから、アイドル符号（＝“ＦＦｈ”）は発生し得ないレベルであり、またＰＣＭエンコーダの最大入力値は＋３ｄＢｍ程度であることから、同様に最大レベルであるアイドル符号には到達しないことに着目した。このアイドル符号を利用して音声通信とデータ通信との間の切替を制御することができる。
【００１３】
本発明によるデータ伝送方法は、ＰＣＭ（Pulse Code Modulation）符号ストリームを利用して送信端末から受信端末へネットワークを通して音声を伝送するシステムにおけるデータ伝送方法であって、
前記送信端末は、送信すべきデータを入力し、前記データの前に所定長の前方アイドル符号列を、前記データの後に所定長の後方アイドル符号列をそれぞれ配置することでＰＣＭ符号とみなされるデータＰＣＭ符号ストリームを生成し、音声ＰＣＭ符号ストリームおよび前記データＰＣＭ符号ストリームを切り替えることでＰＣＭ符号ストリームを生成して前記受信端末へ送信し、
前記受信端末は、前記送信端末からＰＣＭ符号ストリームを受信し、前記受信したＰＣＭ符号ストリームから前記前方アイドル符号列を検出してから前記後方アイドル符号列を検出するまでのＰＣＭ符号ストリームの符号を受信データとして受信する、ことを特徴とする。
【００１４】
本発明による音声／データ通信切替方法は、ＰＣＭ（Pulse Code Modulation）符号ストリームを利用して送信端末から受信端末へネットワークを通して音声を伝送するシステムにおける音声／データ通信切替方法であって、前記送信端末は、音声とデータとの切替タイミングで、音声ＰＣＭ符号列と送信データとの間に所定長のアイドル符号列を配置することでＰＣＭ符号ストリームを生成し、前記受信端末は、前記送信端末から受信したＰＣＭ符号ストリームから前記アイドル符号列を検出することで音声通信とデータ通信とを切り替える、ことを特徴とする。
【発明の効果】
【００１５】
上述したように、本発明によれば、アイドル符号を利用して音声通信とデータ通信との間の切替を制御する。これによりネットワークの制御チャネルを用いることなく、ネットワーク内に確保された通話帯域内で通信モードの切替およびデータ伝送が可能となり、ネットワークに負担をかけない音声／データ通信切替が可能となる。
【発明を実施するための最良の形態】
【００１６】
（１）ＰＣＭストリーム送信部
図１は、本発明の第１実施形態によるデータ伝送システムにおける送信側端末のＰＣＭストリーム送信部を示すブロック図である。ここでは、送信側端末１０と受信側端末３０との間にデジタル交換網２０によって回線が確立されているものとする。また、図面を煩雑にしないために、送信側端末１０のＰＣＭストリーム送信部に関係する構成だけを示し、当該端末１０の受信部などは省略している。
【００１７】
図１において、送信側端末１０は、デジタル交換網２０に確立された回線を通して、送受信器１０１により後述するＰＣＭ符号ストリームの送信および受信を行うことができる。また、タイミング信号発生部１０２は、デジタル交換網２０から網同期信号を抽出し、８ｋＨｚサンプリング信号ＳS、フレーム信号ＳFおよび８ビット送信タイミング信号ＳT8をそれぞれ生成する。
【００１８】
送信側端末１０には、バンドパスフィルタにより３００〜４０００Ｈｚに帯域制限されたアナログ音声信号をＰＣＭ符号化するＰＣＭエンコーダ１０３が設けられている。ＰＣＭエンコーダ１０３は、タイミング信号発生部１０２から供給される８ｋＨｚサンプリング信号ＳS、フレーム信号ＳFおよび８ビット送信タイミング信号ＳT8に同期して、入力アナログ音声信号を所定の圧伸方法により量子化し８ビットＰＣＭ符号ストリームを生成する。
【００１９】
（シリアルデータ変換）
また、送信側端末１０には、コンピュータ等から入力したパラレルデータをシリアルデータに変換するシリアルデータ変換部１０４が設けられている。シリアルデータ変換部１０４は、タイミング信号発生部１０２から供給される８ｋＨｚサンプリング信号ＳS、フレーム信号ＳFおよび８ビット送信タイミング信号ＳT8に同期して、入力パラレルデータを８ビットシリアルデータに変換し、さらに、制御部１０６の指示により送信データの前後のタイミングで、アイドル符号（全８ビット＝“１”）を所定回数連続して出力する。したがって、シリアルデータ変換部１０４の出力は、８ビットデータあるいは８ビットアイドル符号のシリアルビット列である。
【００２０】
例えば、シリアルデータ変換部１０５は送信データを蓄積するバッファと並列入力／直列出力型シフトレジスタとを用いて構成することができる。アイドル符号を出力するときには、８ｋＨｚサンプリング信号ＳSあるいはフレーム信号ＳFに同期して、シフトレジスタにアイドル符号を取り込み、８ビット送信タイミング信号ＳT8に同期して順次シフトさせて出力する。また、送信データを出力するときには、８ｋＨｚサンプリング信号ＳSあるいはフレーム信号ＳFに同期して、バッファからシフトレジスタに送信データを取り込み、８ビット送信タイミング信号ＳT8に同期して順次シフトさせて出力する。
【００２１】
ＰＣＭエンコーダ１０３の出力である８ビットＰＣＭストリームと、シリアルデータ変換部１０４の出力である８ビットシリアルデータとはデータパススイッチ１０５へ出力される。データパススイッチ１０５は、制御部１０６の制御に従い、タイミング信号発生部１０２から供給される８ｋＨｚサンプリング信号ＳS、フレーム信号ＳFおよび８ビット送信タイミング信号ＳT8に同期して、８ビットＰＣＭストリームおよび８ビットシリアルデータのいずれかを出力する。
【００２２】
制御部１０６は、音声通信中であってもコンピュータからのデータ送信要求に応答してデータ伝送を行う。したがって、制御部１０６は、音声送信時にはＰＣＭエンコーダ１０３からの８ビットＰＣＭストリームを選択するようにデータパススイッチ１０５を制御し、データ送信要求が発生するとシリアルデータ変換部１０４からの８ビットシリアルデータを選択するように制御する。データ伝送速度は、たとえば６４ｋｂｐｓである。
【００２３】
（データ送信動作）
データ送信要求を受け取ると、制御部１０６はシリアルデータ変換部１０４に対して、送信データをバッファに蓄積すると共に、所定フレーム数だけアイドル符号を出力し、その後バッファに蓄積された送信データを順次出力するように指示する。送信するデータがバッファになくなると、シリアルデータ変換部１０４は制御部１０６に割り込み信号を出力する。割り込み信号を受けると、制御部１０６はシリアルデータ変換部１０４に対して、データ送信終了符号の送信を指示し、続いて所定フレーム数だけアイドル符号の送信を指示する。
【００２４】
アイドル符号を所定フレーム数だけ送信し終えると、制御部１０６はデータパススイッチ１０５に対してＰＣＭエンコーダ１０３からのＰＣＭデータストリームを選択して出力するように指示する。こうしてデータパススイッチ１０５が選択して出力するＰＣＭストリームは送受信器１０１によりデジタル交換網２０へ送出される。したがって、受信側では、所定フレーム数連続するアイドル符号をモニタすることで音声通信とデータ通信との切替判定を行うことができる。
【００２５】
なお、アイドル符号（“ＦＦｈ”）は最大レベル値を意味するコードであるために、本発明においては、Ａ−ｌａｗ、μ−ｌａｗのいずれの符号化則に対しても有効である。次に、この音声／データ切替判定手段を有する受信側の端末について詳細に説明する。
【００２６】
（２）ＰＣＭストリームの受信部
図２は、本発明の第１実施形態によるデータ伝送システムにおける受信側端末のＰＣＭストリーム受信部を示すブロック図である。ここでは、図面を煩雑にしないために、受信側端末３０のＰＣＭストリーム受信部に関係する構成だけを示し、当該端末３０の送信部などは省略している。
【００２７】
図２において、受信側端末３０は、デジタル交換網２０に確立された回線を通して、送受信器３０１により後述するＰＣＭ符号ストリームの送信および受信を行うことができる。また、タイミング信号発生部３０２は、デジタル交換網２０から網同期信号を抽出し、フレーム信号ＳFおよび８ビット受信タイミング信号ＳR8を生成する。送受信器３０１により受信したＰＣＭストリームはアイドル符号・データ受信開始／終了検出部３０３およびデータパス切替スイッチ３０７へ出力される。
【００２８】
アイドル符号・データ受信開始／終了検出部３０３は、タイミング信号発生部３０２から供給されるフレーム信号ＳFおよび８ビット受信タイミング信号ＳR8に同期して、受信ＰＣＭストリームからアイドル符号および・データ受信開始／終了符号を検出する。アイドル符号を１つ検出するごとに、アイドル符号・データ受信開始／終了検出部３０３はカウンタ２０４をインクリメントする。
【００２９】
カウンタ３０４はアイドル符号受信回数をカウントし、そのカウント値Ｃを比較器３０６へ出力する。比較器３０６はカウント値Ｃと所定フレーム数ＮFとを比較する。所定フレーム数ＮFは適宜設定すればよい。カウント値Ｃが所定フレーム数ＮFに到達したか否かによって、切替信号をデータパス切替スイッチ３０７へ出力し、同時に、切替信号を割り込み信号として制御部３０５へ出力する。この割り込み信号が発生すると、制御部３０５は後述する受信モード切替処理を実行する。制御部３０５は端末の送受信動作全体を制御する。ここでは、ＰＣＭストリーム受信部の動作状態を制御する。
【００３０】
データパス切替スイッチ３０７および３０８は、タイミング信号発生部３０２から供給されるフレーム信号ＳFおよび８ビット受信タイミング信号ＳR8に同期し、比較器３０６からの切替信号に応じたスイッチ動作を同時に実行する。より詳しくは、データパス切替スイッチ３０７は、音声ＰＣＭストリームを受信しているとき、受信ＰＣＭストリームをデータパス切替スイッチ３０８へ出力し、データＰＣＭストリームを受信しているとき、受信ＰＣＭストリームをパラレルデータ変換部３１１へ出力するようにスイッチ動作を行う。他方、データパス切替スイッチ３０８は、音声ＰＣＭストリームを受信しているとき、データパス切替スイッチ３０７から入力した受信ＰＣＭストリームをＰＣＭデコーダ３１０へ出力し、データＰＣＭストリームを受信しているとき、無音ＰＣＭ挿入部３０９からの無音ＰＣＭストリームをＰＣＭデコーダ３１０へ出力するようにスイッチ動作を行う。
【００３１】
言い換えれば、音声ＰＣＭストリームを受信しているときには、受信ＰＣＭストリームはデータパス切替スイッチ３０７および３０８を通してＰＣＭデコーダ３１０へ転送される。他方、データＰＣＭストリームを受信しているときには、受信ＰＣＭストリームはデータパス切替スイッチ３０７を通してパラレルデータ変換部３１１へ転送され、同時に無音ＰＣＭストリームがデータパス切替スイッチ３０８を通してＰＣＭデコーダ３１０へ転送される。
【００３２】
無音ＰＣＭ挿入部３０９は、タイミング信号発生部３０２から供給されるフレーム信号ＳFおよび８ビット受信タイミング信号ＳR8に同期して無音レベルに相当するＰＣＭ符号“００ｈ”あるいは無音ストリームを出力している。あるいは、プルダウン抵抗器を用いて信号レベルを常時０Ｖに設定しておいても良い。
【００３３】
ＰＣＭデコーダ３１０は、タイミング信号発生部３０２から供給されるフレーム信号ＳFおよび８ビット受信タイミング信号ＳR8に同期し、データパス切替スイッチ３０８から出力されるＰＣＭストリームを復号化する。上述したように、送信側端末１０が音声を送信したときにはデータパス切替スイッチ３０８が受信ＰＣＭストリームを出力するので、送信側の音声信号が復号され、送信側端末１０がデータを送信したときにはデータパス切替スイッチ３０８が無音ＰＣＭストリームを出力するので、無音の音声信号が復号される。
【００３４】
パラレルデータ変換部３１１は、フレーム信号ＳFと８ビット受信タイミング信号ＳR8とに同期して、データパス切替スイッチ３０７から出力される受信ＰＣＭストリームの連続したマルチフレームから８ビットパラレルデータを生成する。
【００３５】
図２における各ブロックの機能はハードウエアにより構成することも可能であるが、ＣＰＵ等のプログラム制御プロセッサを制御部３０５として用い、ソフトウエアにより実装することもできる。以下、受信側端末の音声／データ受信プログラムをＣＰＵ上で実行する場合の音声／データ受信モード切替動作について詳細に説明する。
【００３６】
（音声／データ受信切替動作）
図３は、本発明の第１実施形態における受信切替方法の一実施例を示すフローチャートである。制御部３０５は端末の受信状態を常時モニタし、その時点の受信状態に応じて、通話状態処理ルーチンＡ、前方アイドル符号受信状態処理ルーチンＢ、データ受信状態処理ルーチンＣ、および、後方アイドル符号受信状態処理ルーチンＤのいずれかの処理を実行する（ステップＳ４０１）。
【００３７】
通話状態であるときは、音声ＰＣＭストリームがスイッチ３０７および３０８を通してＰＣＭデコーダ３１０で復号化されている状態であるから、比較器３０６から割り込み信号は発生したか否か、すなわちデータ伝送の始まりを意味する前方アイドル符号を所定フレーム数受信したか否か、を判定する（ステップＳ４０２）。前方アイドル符号を所定フレーム数受信していなければ（ステップＳ４０２のＮＯ）、スイッチ３０７および３０８の状態はそのまま維持され、音声ＰＣＭストリームの復号が継続される。
【００３８】
比較器３０６から割り込み信号は発生し、前方アイドル符号を所定フレーム数受信したと判定されると（ステップＳ４０２のＹＥＳ）、制御部３０５は前方アイドル符号受信状態処理ルーチンＢを起動し、通話状態から前方アイドル符号受信状態へ移行する（ステップＳ４０３）。これによりスイッチ３０７および３０８は切り替わり、受信ＰＣＭストリームはスイッチ３０７を通してパラレルデータ変換部３１１へ出力され、また無音ＰＣＭ符号がスイッチ３０８を通してＰＣＭデコーダ３１０へ出力される（ステップＳ４０４）。
【００３９】
前方アイドル符号受信状態になると、制御部３０５はアイドル符号・データ受信開始／終了検出部３０３がデータ受信開始フラグを検出したか否か、すなわちデータ受信が開始されたか否かを判定する（ステップＳ４０５）。データ受信が開始されていなければ（ステップＳ４０５のＮＯ）、パラレルデータ変換部３１１はデータを出力しない。データ受信が開始されると（ステップＳ４０５のＹＥＳ）、制御部３０５はデータ受信状態処理ルーチンＣを起動し、前方アイドル符号受信状態からデータ受信状態へ移行する（ステップＳ４０６）。これにより、スイッチ３０８から出力する受信ＰＣＭストリームはパラレルデータ変換部３１１で受信データに変換される。
【００４０】
データ受信状態になると、制御部３０５はアイドル符号・データ受信開始／終了検出部３０３がデータ受信終了フラグを検出したか否か、すなわちデータ受信が終了したか否かを判定する（ステップＳ４０７）。データ受信が終了していなければ（ステップＳ４０７のＮＯ）、データ受信を継続する（ステップＳ４０８）。データ受信が終了すると（ステップＳ４０７のＹＥＳ）、制御部３０５は後方アイドル符号受信状態処理ルーチンＤを起動し、データ受信状態から後方アイドル符号受信状態へ移行する（ステップＳ４０９）。
【００４１】
後方アイドル符号受信状態であるときは、制御部３０５は比較器３０６から割り込み信号は発生したか否か、すなわちデータ伝送の終了を意味する後方アイドル符号を所定フレーム数受信したか否か、を判定する（ステップＳ４１０）。後方アイドル符号を所定フレーム数受信していなければ（ステップＳ４１０のＮＯ）、スイッチ３０７および３０８の状態はそのまま維持される。
【００４２】
比較器３０６から割り込み信号は発生し、後方アイドル符号を所定フレーム数受信したと判定されると（ステップＳ４１０のＹＥＳ）、制御部３０５は通話状態処理ルーチンＡを起動し、後方アイドル符号受信状態から通話状態へ移行する（ステップＳ４１１）。これによりスイッチ３０７および３０８は切り替わり、受信ＰＣＭストリームはスイッチ３０７および３０８を通してＰＣＭデコーダ３１０へ出力され、音声信号に復号化される。同時に、無音ＰＣＭ符号はスイッチ３０８から出力されなくなる（ステップＳ４０４）。
【００４３】
データ伝送の始まりと終わりを意味する前記アイドル符号連続送出のフレーム数については特に規定しないが、必要以上に多い回数にすると、通話からデータ伝送へ、および、データ伝送から通話へ、の切り替わり時間に影響が生じる。通話からデータ伝送へ、および、データ伝送から通話へ、の切り替わり時には、異音が発生するおそれがあるが、前方アイドル符号列および後方アイドル符号列の長さを短く調整すれば実用上問題ない。
【００４４】
なお、図１および図２に示すシリアルデータ変換部１０４およびパラレルデータ変換部３１１は、ＨＤＬＣ通信、Ｂｉ−ＳＹＮＣ通信およびＭｏｎｏ−ＳＹＮＣ通信が可能な一般的なシリアル通信デバイスを用いることができる。
【００４５】
（３）他の適用例
図４は、本発明の第１実施形態を適用した通信システムの模式図である。送信側端末１０から上述したＰＣＭストリームが受信側端末３０へデジタル交換網２０の回線を通して送信される。ただし、本発明はこのようなデジタル交換網に適用されるだけではなく、ＶｏＩＰ網にも適用することができる。
【００４６】
図５は、本発明の第１実施形態を適用した他の通信システムの模式図である。端末１１および３１はＶｏＩＰ網２１を介して接続されており、Ｇ．７１１パケットストリームにより音声／データの送受信を行う。このシステムでは、端末１１および３１には、それぞれパケットのジッタ等を吸収するジッタバッファとＰＣＭストリームとパケットとの間の変換を行う変換器が設けられている。それ以外のＰＣＭストリームの送受信に関する構成は、上述した図１および２と基本的に同じであり、同様の効果を得ることができるので説明は省略する。
【００４７】
上述した実施形態は、デジタル交換網３０における制御チャンネルや、Ｇ．７１１を使用するＶｏＩＰ網２１におけるＴＣＰパケットを利用しないで、網内に確保される通話帯域内で行うデータ通信なので、網内の制御データのトラヒックを上げず、網に負担をかけないでデータを伝送できる。特に、携帯電話等で多用されているインスタント・メッセージのデータ伝送方法として、または、遠隔地端末に接続される周辺機器のリモートカメラやスピーカなど、比較的即時性を要求される制御機器の制御データの伝送路として、本特許は有効である。
【００４８】
また、データ通信期間中は、送信端末１０から受信端末３０への音声は途絶えることになるが、両端末の利用者同士は周知のデータ通信であり、この間の音声の途絶えは実使用上問題ないと考える。また、「通話状態からデータ受信状態へ」および「データ受信状態から通話状態へ」の切り換え期間には、異音が発生する恐れがあるが、前方アイドル符号列および後方アイドル符号列長を短く調整すれば、実用上問題ない。
【図面の簡単な説明】
【００４９】
【図１】本発明の第１実施形態によるデータ伝送システムにおける送信側端末のＰＣＭストリーム送信部を示すブロック図である。
【図２】本発明の第１実施形態によるデータ伝送システムにおける受信側端末のＰＣＭストリーム受信部を示すブロック図である。
【図３】本発明の第１実施形態における通信モード切替方法の一実施例を示すフローチャートである。
【図４】本発明の第１実施形態を適用した通信システムの模式図である。
【図５】本発明の第１実施形態を適用した他の通信システムの模式図である。
【符号の説明】
【００５０】
１０  送信側端末
２０  デジタル交換網
３０  受信側端末
１０１  送受信器
１０２  タイミング信号発生器
１０３  ＰＣＭエンコーダ
１０４  シリアルデータ変換部
１０５  データパススイッチ
１０６  制御部
３０１  送受信器
３０２  タイミング信号発生器
３０３  アイドル符号・データ受信開始／終了検出部
３０４  カウンタ
３０５  制御部
３０６  比較器
３０７  データパススイッチ
３０８  データパススイッチ
３０９  無音ＰＣＭ挿入部
３１０  ＰＣＭデコーダ
３１１  パラレルデータ変換部
【図１】
2005252639.tif 000003
【図２】
2005252639.tif 000004
【図３】
2005252639.tif 000005
【図４】
2005252639.tif 000006
【図５】
2005252639.tif 000007